(57)【特許請求の範囲】
【請求項１】
ＳＨＦ受信信号をＩＦ信号に変換するための高周波部と、ＩＦ信号を映像信号等に復号するための制御部とを備え、前記高周波部と前記制御部とを同軸ケーブルで接続することで構成した２筐体分離型ＦＰＵ受信装置であって、
前記制御部は、
前記高周波部から前記同軸ケーブルを介して入力され、分波・合成手段によって出力されたＩＦ信号を所定の信号レベルまで増幅するＩＦ増幅手段と、
前記ＩＦ増幅手段によって増幅されたＩＦ信号を所定の信号に復調するデジタル復調手段と、
前記デジタル復調手段によって復調されたＩＦ信号を映像信号及び／又は音声信号に復号する復号手段と、
前記復号手段によって復号された映像信号がＨＤ映像信号である場合に、当該ＨＤ映像信号をＳＤ映像信号に変換するＨＤ／ＳＤ変換手段と、
前記ＨＤ／ＳＤ変換手段によってＨＤ映像信号がＳＤ映像信号に変換された後に該ＳＤ映像信号を送り返し信号に変換する変調手段と、
前記高周波部から前記同軸ケーブルを介して入力された前記ＩＦ信号を前記ＩＦ増幅手段に出力するとともに、前記変調手段によって生成された送り返し信号と所定のＤＣ電圧とを合成し前記同軸ケーブルを介して前記高周波部に出力する分波・合成手段と、
前記高周波部は、
ＳＨＦ受信信号を周波数変換することによってＩＦ信号を生成する周波数変換手段と、
前記周波数変換手段によって生成されたＩＦ信号を所定の信号レベルまで増幅するＩＦ増幅手段と、
前記増幅手段によって増幅されたＩＦ信号を前記同軸ケーブルを介して前記制御部に出力するとともに、前記制御部から前記同軸ケーブルを介して入力された送り返し信号及びＤＣ電圧の中から送り返し信号のみを抽出する分波・合成手段と、
前記分波・合成手段によって抽出された送り返し信号をＳＤ映像信号及び／又は音声信号に変換する復調手段と、を備える
ことを特徴とする２筐体分離型ＦＰＵ受信装置。
【請求項２】
前記変調手段及び前記復調手段は、ＦＭ変調方式及びＦＭ復調方式によることを特徴とする請求項１記載の２筐体分離型ＦＰＵ受信装置。
【請求項３】
ＳＨＦ受信信号をＩＦ信号に変換するための高周波部と、ＩＦ信号を映像信号等に復号するための制御部とを備え、前記高周波部と前記制御部とを同軸ケーブルで接続することで構成した２筐体分離型ＦＰＵ受信装置における高周波部映像出力方法であって、
前記高周波部において、ＳＨＦ受信信号を周波数変換することによってＩＦ信号を生成し、この周波数変換されたＩＦ信号を所定の信号レベルまで増幅し、この増幅されたＩＦ信号を前記同軸ケーブルを介して前記制御部に出力し、
前記制御部において、前記高周波部から前記同軸ケーブルを介して入力された前記ＩＦ信号をＩＦ増幅するために出力し、この出力されたＩＦ信号を所定の信号レベルまで増幅し、この増幅されたＩＦ信号を所定の信号に復調し、この復調されたＩＦ信号を映像信号及び／又は音声信号に復号し、この復号された映像信号がＨＤ信号である場合にＨＤ映像信号をＳＤ映像信号に変換し、前記ＳＤ映像信号及び／又は前記音声信号を変調することによって前記高周波部に送り返すための送り返し信号を生成し、この生成された送り返し信号と所定のＤＣ電圧とを合成し前記同軸ケーブルを介して前記高周波部に出力し、
前記高周波部において、前記制御部から前記同軸ケーブルを介して入力された送り返し信号及びＤＣ電圧の中から送り返し信号のみを抽出し、この抽出された送り返し信号をＳＤ映像信号及び／又は音声信号に変換する
ことを特徴とする高周波部映像出力方法。
【発明の詳細な説明】
【技術分野】
【０００１】
本発明は、ＦＰＵ受信装置に関し、より詳しくは、ＳＨＦ信号をＩＦ信号に変換させるための高周波部とＩＦ信号を映像信号等に復号するための制御部と前記高周波部と前記制御部とを接続する同軸ケーブルとにより構成される２筐体分離型のデジタルＦＰＵ受信装置において、高周波部において映像・音声信号を出力させることできる２筐体分離型ＦＰＵ受信装置に関する。
【背景技術】
【０００２】
従来、ＦＰＵ（Ｆｉｅｌｄ  Ｐｉｃｋｕｐ  Ｕｎｉｔ）装置は、放送を目的として撮影された映像等を取材現場から放送スタジオ等へ伝達するための移動無線設備であり、ＦＰＵ送信装置及びＦＰＵ受信装置によって構成される。
ＦＰＵ送信装置は、通常、撮影カメラ、送信アンテナとともに配置され、撮影カメラによって撮影された映像信号等を送信アンテナを介しＦＰＵ受信装置に送信するものである。
ＦＰＵ受信装置は、放送スタジオやＦＰＵ受信基地局に設置され、ＦＰＵ送信装置によって中継現場からマイクロ波（ＳＨＦ：Ｓｕｐｅｒ  Ｈｉｇｈ  Ｆｒｅｑｕｅｎｃｙ）により無線伝送された映像・音声信号を受信する装置である。
【０００３】
そして、この種のＦＰＵ装置としてデジタルＦＰＵ受信装置等が提案されている（例えば、特許文献１参照）。
従来提案されているデジタルＦＰＵ受信装置等は、高周波部と制御部とが同軸ケーブルで接続された２筐体分離型構成となっているのが特徴である。
図３は、従来の２筐体分離型のデジタルＦＰＵ受信装置の一般的な構成を示すブロック図である。
同図に示すように、従来の２筐体分離型デジタル受信装置は、受信アンテナは高周波部１０１に接続されており、受信された映像等が制御部１０２から出力される仕組みとなっている。
【０００４】
具体的には、２筐体分離型受信装置は、図示しないＦＰＵ送信装置からのＳＨＦ信号を高周波部１０１の受信アンテナ１０４で受信し、周波数変換器１１１で所定のＩＦ信号に変換され、ＩＦ増幅器１１２で本線用ＩＦ信号（ｆ１）として一定の信号レベルまで増幅されて、分波・合成器１１３及び同軸ケーブル１０３を介し制御部１０２に出力される。
制御部１０２では、分波・合成器１２１を介して受信されたＩＦ信号（ｆ１）が、ＩＦ増幅器２２で一定の信号レベルまで増幅された後、デジタル復調器１２４によりＦＰＵ送信装置において変調される前の信号に復元され、さらに、復調された信号がデコーダ１２５で復号されることによって、ＦＰＵ送信装置において符号化される前の映像信号等に復元される。
これにより、制御部１０２から映像等が出力されることになる。
【０００５】
以上のような従来のデジタルＦＰＵ受信装置においては、受信した映像信号等を制御部で出力することはできるが、高周波部では出力することができず、正確な方向調整が困難になるという問題があった。
アナログ（ＦＭ）方式の２筐体分離型ＦＰＵでは、制御部と高周波部において同時に復調・映像出力が可能であり、受信アンテナの方向調整時にも高周波部において容易に映像信号を確認しながら方向調整を行うことが可能であった。
ところが、デジタルＦＰＵの場合には、デジタル復調器及びデコーダ部分の物理的サイズや価格等の制約が大きく、これらを高周波部側に搭載することができなかった。
【０００６】
このため、受信アンテナの方向調整の際、受信アンテナと制御部との間に相当の距離がある場合には、受信電界レベルを高周波部に設けられたメーターやＬＥＤのみによって確認するしか方法がなく、正確な調整を行うことが困難となるという問題が発生した。
また、受信映像等を確認しながら受信アンテナの方向調整を行う場合でも、制御部から出力された映像等をアンテナ近くでモニターする必要があるため、制御部からモニター装置までの間に必要な長さのケーブルの手配や、配線等の煩わしさがあった。
【０００７】
ここで、ＦＰＵ装置以外の装置ではあるが、上記問題、すなわちアンテナの方向調整の際、その調整が不正確で、余分なケーブルの手配・配線等が必要となるという課題を解決する放送受信状態確認装置等が提案されている（例えば、特許文献２、３参照）。
【０００８】
【特許文献１】特開２００２−２８０９１０号公報（第１−４頁、第５図）
【特許文献２】特開平１０−２１０３７４号公報（第１−６頁、第１図）
【特許文献３】登録実用新案第３０４２６９４号公報
【発明の開示】
【発明が解決しようとする課題】
【０００９】
しかしながら、以上の特許文献２及び特許文献３で提案されている放送受信状態確認装置等においては、アンテナと映像生成装置との間の距離が数メートルから数十メートルの近距離の場合では問題なくその機能を発揮できるが、百メートル以上の長い距離になると信号線における減衰等によって映像信号の適切な伝送及び復元が出来ないといった欠点がある。
特に２筐体分離型ＰＦＵ受信装置においては、高層ビル等に設置され、高周波部と制御部の間が長距離になる場合も多いため、上述の提案技術によってはその効果を発揮できないおそれがあった。
ここで、このような欠点を補うために、高周波部に送り返す映像信号を増幅して伝送する方法も考えられるが、機器構成の複雑化とそれに伴う装置の大型化・高価格化は避けられず、実際には採用は困難であった。
【００１０】
本発明は、以上のような従来の技術が有する問題を解決するために提案されたものであり、高周波部での映像信号等の出力が可能な２筐体分離型のデジタルＦＰＵ受信装置の提供を目的とする。
【課題を解決するための手段】
【００１１】
上記目的を達成するため、本発明の２筐体分離型ＦＰＵ受信装置は、ＳＨＦ受信信号をＩＦ信号に変換するための高周波部と、ＩＦ信号を映像信号等に復号するための制御部とを備え、前記高周波部と前記制御部とを同軸ケーブルで接続することで構成した２筐体分離型ＦＰＵ受信装置であって、前記制御部は、前記高周波部から前記同軸ケーブルを介して入力され、分波・合成手段によって出力されたＩＦ信号を所定の信号レベルまで増幅するＩＦ増幅手段と、前記ＩＦ増幅手段によって増幅されたＩＦ信号を所定の信号に復調するデジタル復調手段と、前記デジタル復調手段によって復調されたＩＦ信号を映像信号及び／又は音声信号に復号する復号手段と、前記復号手段によって復号された映像信号及び／又は音声信号を変調することによって前記高周波部に送り返すための送り返し信号を生成する変調手段と、前記高周波部から前記同軸ケーブルを介して入力された前記ＩＦ信号を前記ＩＦ増幅手段に出力するとともに、前記変調手段によって生成された送り返し信号と所定のＤＣ電圧とを合成し前記同軸ケーブルを介して前記高周波部に出力する分波・合成手段とを備え、前記高周波部は、ＳＨＦ受信信号を周波数変換することによってＩＦ信号を生成する周波数変換手段と、前記周波数変換手段によって生成されたＩＦ信号を所定の信号レベルまで増幅するＩＦ増幅手段と、前記増幅手段によって増幅されたＩＦ信号を前記同軸ケーブルを介して前記制御部に出力するとともに、前記制御部から前記同軸ケーブルを介して入力された送り返し信号及びＤＣ電圧の中から送り返し信号のみを抽出する分波・合成手段と、前記分波・合成手段によって抽出された送り返し信号を映像信号及び／又は音声信号に変換する復調手段と、を備える構成としてある。
【００１２】
このような構成からなる本発明の２筐体分離型ＦＰＵ受信装置によれば、高周波部で受信した本線用のＩＦ信号から送り返し用ＩＦ信号を生成して、この送り返し用ＩＦ信号を制御部から高周波部に送り返すことにより、高周波部によって受信した映像や音声を、制御部のみならず高周波部でも出力できるようになる。
このため、受信アンテナの方向調整の際には、高周波部の出力端子等にモニター装置等を接続することにより、実際の映像や音声の状態を確認しながら調整することができる。従って、より最適な受信アンテナの方向調整が可能となる。
また、制御部から高周波部に送り返す映像信号等を変調して出力するため、制御部と高周波部の間の長距離伝送が可能となる。
【００１３】
また、本発明の２筐体分離型ＦＰＵ受信装置は、前記変調手段及び前記復調手段は、ＦＭ変調方式及びＦＭ復調方式による構成としてある。
【００１４】
このような構成からなる本発明の２筐体分離型ＦＰＵ受信装置によれば、制御部で復号された映像信号等を改めてＦＭ（周波数）変調し、高周波部へ出力するようにしてある。そして、高周波部では制御部からの信号をＦＭ復調し、映像信号を出力するようにしてある。
従って、特に高周波部においてはデジタル復調手段は必要なくアナログ復調手段を備えることで、本発明を実現することができるため、その構成を簡易なものとすることができる。
また、制御部から高周波部に送り返す映像信号等をＦＭ変調して出力するようにしているため、制御部と高周波部の間の長距離伝送が可能となるだけでなく、簡易な回路の追加によってこれを可能とするため、装置の小型化・低価格化を図ることが可能となる。
【００１５】
更に、本発明の２筐体分離型ＦＰＵ受信装置は、前記制御部が、前記復号手段によって復号された映像信号がＨＤ映像信号である場合に、当該ＨＤ映像信号をＳＤ映像信号に変換するＨＤ／ＳＤ変換手段を備え、前記変調手段は、前記ＨＤ／ＳＤ変換手段によってＨＤ映像信号がＳＤ映像信号に変換された後に該ＳＤ映像信号を送り返し信号に変換する構成としてある。
【００１６】
このような構成からなる本発明の２筐体分離型ＦＰＵ受信装置によれば、受信アンテナの方向調整の際にはＳＤＴＶ（Ｓｔａｎｄａｒｄ  Ｄｅｆｉｎｉｔｉｏｎ  ＴＶ）映像を確認すれば足りるため、受信したＨＤＴＶ（Ｈｉｇｈ  Ｄｅｆｉｎｉｔｉｏｎ  ＴＶ）信号をＳＤＴＶ信号に変換することによって容易に高周波部で映像を出力できるようにしてある。
このため、ＨＤＴＶ映像を取り扱う場合でも、制御部のみならず高周波部から必要な映像信号等を出力させ、視聴等が可能となる。
また、対象がＳＤＴＶ映像信号であるため、変復及び復調をアナログ方式により行うことができる。
従って、特に高周波部においてはその構成を簡易なものとすることができ、装置全体として小型化及び低価格化を図ることが可能となる。
【００１７】
また、本発明の高周波部映像出力方法は、ＳＨＦ受信信号をＩＦ信号に変換するための高周波部と、ＩＦ信号を映像信号等に復号するための制御部とを備え、前記高周波部と前記制御部とを同軸ケーブルで接続することで構成した２筐体分離型ＦＰＵ受信装置における高周波部映像出力方法であって、前記高周波部において、ＳＨＦ受信信号を周波数変換することによってＩＦ信号を生成し、この周波数変換されたＩＦ信号を所定の信号レベルまで増幅し、この増幅されたＩＦ信号を前記同軸ケーブルを介して前記制御部に出力し、前記制御部において、前記高周波部から前記同軸ケーブルを介して入力された前記ＩＦ信号をＩＦ増幅するために出力し、この出力されたＩＦ信号を所定の信号レベルまで増幅し、この増幅されたＩＦ信号を所定の信号に復調し、この復調されたＩＦ信号を映像信号及び／又は音声信号に復号し、この復号された映像信号及び／又は音声信号を変調することによって前記高周波部に送り返すための送り返し信号を生成し、この生成された送り返し信号と所定のＤＣ電圧とを合成し前記同軸ケーブルを介して前記高周波部に出力し、前記高周波部において、前記制御部から前記同軸ケーブルを介して入力された送り返し信号及びＤＣ電圧の中から送り返し信号のみを抽出し、この抽出された送り返し信号を映像信号及び／又は音声信号に変換する方法としてある。
【００１８】
特に、前記ＩＦ信号から復号される映像信号がＨＤ映像信号である場合に、前記制御部において、複合されたＨＤ映像信号をＳＤ映像信号に変換し、この変換されたＳＤ映像信号を変調することによって前記高周波部に送り返すための送り返し信号を生成する方法としてある。
【００１９】
このような構成からなる本発明の高周波部映像出力方法によれば、高周波部によって受信した映像や音声を制御部のみならず、前記高周波部でも出力できるようにしてある。
このため、受信アンテナの方向調整の際には、高周波部の出力端子等にモニター装置等を接続することにより、実際の映像や音声の状態を確認しながら調整することができる。
また、この方法によれば、映像信号や変調方式が、アナログやデジタルの如何に関わらず、取り扱うことが可能となる。
従って、適用範囲が広く、様々なＦＰＵ装置への応用が可能となる。
【００２０】
また、本発明の高周波部映像出力プログラムは、ＳＨＦ受信信号をＩＦ信号に変換するための高周波部と、ＩＦ信号を映像信号等に復号するための制御部とを備え、前記高周波部と前記制御部とを同軸ケーブルで接続することで構成した２筐体分離型ＦＰＵ受信装置における高周波部映像出力プログラムであって、前記制御部を構成するコンピュータを、前記高周波部から前記同軸ケーブルを介して入力され、分波・合成手段によって出力されたＩＦ信号を所定の信号レベルまで増幅するＩＦ増幅手段、前記ＩＦ増幅手段によって増幅されたＩＦ信号を所定の信号に復調するデジタル復調手段、前記デジタル復調手段によって復調されたＩＦ信号を映像信号及び／又は音声信号に復号する復号手段、前記復号手段によって復号された映像信号及び／又は音声信号を変調することによって前記高周波部に送り返すための送り返し信号を生成する変調手段、前記高周波部から前記同軸ケーブルを介して入力された前記ＩＦ信号を前記ＩＦ増幅手段に出力するとともに、前記変調手段によって生成された送り返し信号と所定のＤＣ電圧とを合成し前記同軸ケーブルを介して前記高周波部に出力する分波・合成手段、として機能させるとともに、前記高周波部を構成するコンピュータを、ＳＨＦ受信信号を周波数変換することによってＩＦ信号を生成する周波数変換手段、前記周波数変換手段によって生成されたＩＦ信号を所定の信号レベルまで増幅するＩＦ増幅手段、前記増幅手段によって増幅されたＩＦ信号を前記同軸ケーブルを介して前記制御部に出力するとともに、前記制御部から前記同軸ケーブルを介して入力された送り返し信号及びＤＣ電圧の中から送り返し信号のみを抽出する分波・合成手段、前記分波・合成手段によって抽出された送り返し信号を映像信号及び／又は音声信号に変換する復調手段、として機能させるためのプログラムとしてある。
【００２１】
このように本発明はプログラムとしても提供することができる。
これにより、デジタルＦＰＵ受信装置のみならず、受信部と出力部とが分離された様々な受信装置にプログラムをインストールすることによって本発明を実現することができ、汎用性，拡張性に優れたプログラムとして提供することができる。
【発明の効果】
【００２２】
以上のように、本発明の２筐体分離型ＦＰＵ受信装置によれば、高周波部によって受信した映像や音声を高周波部で出力できるため、受信アンテナの方向調整の際には、実際の映像や音声の状態を確認しながら調整することができる。
また、制御部と高周波部の間の長距離伝送が可能となるだけでなく、装置の小型化・低価格化を図ることが可能となる。
【発明を実施するための最良の形態】
【００２３】
以下、本発明の好ましい実施形態について図１〜図２を参照して説明する。
ここで、以下に示す本実施形態の２筐体分離型ＦＰＵ受信装置は、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態の２筐体分離型ＦＰＵ受信装置における各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００２４】
図１は、本発明の一実施形態に係る２筐体分離型ＦＰＵ受信装置の主な構成を示したブロック図である。
本実施形態に係るＦＰＵ受信装置は、２筐体分離型のデジタルＦＰＵ受信装置であって、高周波部１、制御部２及び高周波部１と制御部２とを接続する同軸ケーブル３とから構成される。
以下に、本実施形態の２筐体分離型ＦＰＵ受信装置の中心となる高周波部１及び制御部２について、その詳細な構成を説明する。
【００２５】
［高周波部１］
高周波部１は、周波数変換器１１、ＩＦ増幅器１２、分波・合成器１３及びＦＭ復調器１４を有する。
周波数変換器１１は、受信アンテナ４によって受信したＳＨＦ信号を入力し、本線用のＩＦ信号（ｆ１）として所定のＩＦ（Ｉｎｔｅｒｍｅｄｉａｔｅ Ｆｒｅｑｕｅｎｃｙ：中間周波数）帯域の信号に変換する周波数変換手段である。
本実施形態では、この周波数変換器１１により、受信波が例えば７０ＭＨｚ又は１３０ＭＨｚの本線用ＩＦ信号（ｆ１）に変換される。
ＩＦ増幅器１２は、周波数変換器１１によって生成された本線用ＩＦ信号（ｆ１）を所定の信号レベルまで増幅するＩＦ増幅手段である。
分波・合成器１３は、ＩＦ増幅器１２で増幅された本線用ＩＦ信号（ｆ１）と後述する送り返し用ＩＦ信号（ｆ２）とＤＣ電源とを一本の同軸ケーブル３に多重化して制御部２に出力する。
また、分波・合成器１３は、後述する制御部２からの送り返し用ＩＦ信号（ｆ２）及びＤＣ電圧を受け、送り返し用ＩＦ信号（ｆ２）を分波・抽出し、ＦＭ復調器１４に出力する。なお、抽出された一方のＤＣ電圧は高周波部１を作動させるために利用される。
【００２６】
ＦＭ復調器１４は、受信波のアナログ復調（ＦＭ）を行う復調手段である。すなわち、高周波部１は、ＦＭ復調器１４を備えることにより、制御部２が接続されない状態でもＦＭ波の受信だけが可能となっている。
そして、本実施形態では、高周波部１に搭載されるＦＭ復調器１４を、制御部２からの送り返し用ＩＦ信号（ｆ２）の復調に使用するようになっている。
ここで、送り返し用ＩＦ信号（ｆ２）のＩＦ周波数は、本線用ＩＦ信号（ｆ１）のＩＦ周波数の１／２として高周波部１に伝送し、高周波部２において２逓倍してＦＭ復調器１４で復調することができる。
【００２７】
［制御部２］
制御部２は、分波・合成器２１、電源部２２、ＩＦ増幅器２３、デジタル復調器２４、デコーダ２５、ＨＤ／ＳＤ変換器２６及びＦＭ変調器２７を有する。
分波・合成器２１は、高周波部１から入力された本線用ＩＦ信号（ｆ１）をＩＦ増幅器２３に出力する。
また、分波・合成器２１は、ＦＭ変調器２７により生成された高周波部１への送り返し用ＩＦ信号（ｆ２）と所定のＤＣ電圧とを合成し、同軸ケーブル３を介して高周波部１に出力する。
電源部２２は、制御部２と高周波部１を作動させるために所定のＤＣ電圧を加えるものである。なお、高周波部１に対する電源は、電源部２２から同軸ケーブル３を通して供給される。
ＩＦ増幅器２３は、分波・合成器２１により出力された本線用ＩＦ信号（ｆ１）を所定の信号レベルまで増幅するＩＦ増幅手段である。
【００２８】
デジタル復調器２４は、ＩＦ増幅器２３によって増幅された本線用ＩＦ信号（ｆ１）を所定の信号に復調するデジタル復調手段である。このデジタル復調器２４により、図示しないＦＰＵ送信装置によって変調される前の信号が復元される。
ここで、変復調方式としては、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、ＱＡＭ（Ｑｕａｄｒａｔｕｒｅ  Ａｍｐｌｉｔｕｄｅ  Ｍｏｄｕｌａｔｉｏｎ）、ＱＰＳＫ（Ｑｕａｄｒａｔｕｒｅ  Ｐｈａｓｅ  Ｓｈｉｆｔ  Ｋｅｙｉｎｇ）等が採用される。
【００２９】
デコーダ２５は、デジタル復調器２４により復調されたＩＦ信号を映像信号や音声信号に復号・伸張する復号手段である。このデコーダ２５により、図示しないＦＰＵ送信装置によって符号化される前の映像・音声信号が復元され、デジタルＦＰＵ受信装置の出力信号として出力されることになる。
なお、ＭＰＥＧ−２  Ｖｉｄｅｏ方式等の採用により、データ圧縮／伸張が行われ大量の情報レートを必要とするＨＤＴＶ信号の送受信を可能としている。
そして、このデコーダ２５の出力は、ＨＤ／ＳＤ変換器２６にも入力され、高周波部１側への送り返し用ＩＦ信号（ｆ２）が生成されることになる。
【００３０】
ＨＤ／ＳＤ変換器２６は、ＨＤＴＶ信号をＳＤＴＶ信号に変換する変換手段であり、デコーダ２５から出力されたＨＤＴＶ信号をＳＤＴＶ信号に変換する。
ＦＭ変調器２７は、ＨＤ／ＳＤ変換器２６により出力されたＳＤＴＶ信号をＦＭ変調することにより送り返し用ＩＦ信号（ｆ２）を生成する。
なお、高周波部１で受信される映像信号がＨＤＴＶ信号ではなくＳＤＴＶ信号の場合には、ＨＤ／ＳＤ変換器２６を経ずにそのままＦＭ変調器２７により変調することになり、その場合には、ＨＤ／ＳＤ変換器２６については省略することができる。
そして、このＦＭ変調器２７から生成・出力された折り返し用ＩＦ信号（ｆ２）が、合成・分波器２１及び同軸ケーブル３を介して高周波部１に伝送され、高周波部１において出力されるようになる。
【００３１】
次に、以上のような構成からなる本実施形態の２筐体分離型ＦＰＵ受信装置における動作について図２を参照しつつ説明する。
図２は、本発明の一実施形態に係る２筐体分離型ＦＰＵ受信装置における動作手順を示したシーケンス図である。
【００３２】
まず、図示しないＦＰＵ送信装置からのＳＨＦ信号が受信アンテナ４で受信され、周波数変換器１１により所定のＩＦ信号に変換され、本線用ＩＦ信号（ｆ１）が出力される（ステップＳ１）。
この本線用ＩＦ信号（ｆ１）は、ＩＦ増幅器１２で一定の信号レベルまで増幅され（ステップＳ２）、分波・合成器１３及び同軸ケーブル３を介し制御部２に出力される（ステップＳ３）。
制御部２では、分波・合成器２１を介して受信された本線ＩＦ信号（ｆ１）が、ＩＦ増幅器２２により一定の信号レベルまで増幅される（ステップＳ４）。
【００３３】
そして、増幅された本線用ＩＦ信号（ｆ１）はデジタル復調器２４により、ＦＰＵ送信装置において変調される前の信号に復元される（ステップＳ５）。
さらに、復調された信号がデコーダ２５で復号・伸張されることによって、ＦＰＵ送信装置において符号化される前の映像信号・音声信号に復元される（ステップＳ６）。
デコーダ２５によって伸張された映像・音声信号は、デジタルＦＰＵ受信装置の出力信号として出力される。
ここまでの動作によって制御部２からの映像等の出力が可能となる。
【００３４】
次に、ステップＳ６で復元された映像信号等を高周波部１に送り返すための送り返し用ＩＦ信号（ｆ２）が生成される。
まず、デコーダ２５の出力が、ＨＤ／ＳＤ変換器２６により、ＨＤＴＶ信号からＳＤＴＶ信号に変換され、このＳＤ信号がＦＭ変調器２７においてアナログ変調され、送り返し用ＩＦ信号（ｆ２）が生成・出力される（ステップＳ７）。
そして、変調された映像信号等は、分波・合成器２１によって所定のＤＣ電圧と合成され（ステップＳ８）、同軸ケーブル３を介して高周波部１に出力される（ステップＳ９）。
【００３５】
高周波部１では、分波・合成器１３で制御部２からの入力信号を変調信号とＤＣ電圧とに分け、変調された映像・音声信号のみを抽出する（ステップＳ１０）。
なお、ＤＣ電圧は高周波部１が稼働するための電源として利用される。
そして、ＦＭ復調器１４において映像・音声信号が復調され（ステップＳ１１）、所定の映像・音声が送り返しモニター信号として高周波部１から出力されることになる（ステップＳ１２）。
これにより、高周波部１においても映像信号の状態を確認することができるようになる。
【００３６】
以上説明したように、本実施形態の２筐体分離型ＦＰＵ受信装置によれば、
高周波部１で受信した本線用ＩＦ信号（ｆ１）から送り返し用ＩＦ信号（ｆ２）を生成して、この送り返し用ＩＦ信号（ｆ２）を制御部２から高周波部１に送り返すことにより、高周波部１によって受信した映像や音声を、制御部２のみならず高周波部１でも出力できるようになる。
このため、受信アンテナ４の方向調整の際には、高周波部１の出力端子等にモニター装置等を接続することにより、実際の映像や音声の状態を確認しながら調整することができる。
【００３７】
また、高周波部１からの映像出力を実現する手段として、高周波部１におけるデジタル復調手段は必要とせず、制御部２によってアナログ変調し、出力された映像信号等を復調して出力するようにしているため、制御部２と高周波部１の間の長距離伝送が可能となるだけでなく、簡易な回路の追加によってこれを可能とするため、装置の小型化・低価格化を図ることが可能となる。
従って、特に受信アンテナ４と制御部２との距離が離れている場合は有効で、より最適な受信アンテナ４の方向調整が可能となる。
【００３８】
以上、本発明の２筐体分離型ＦＰＵ受信装置について、好ましい実施形態を示して説明したが、本発明にかかる２筐体分離型ＦＰＵ受信装置は、上述した実施形態にのみ限定されるものではなく、本発明の範囲で種々の変更実施が可能であることは言うまでもない。
例えば、本発明の２筐体分離型ＦＰＵ受信装置は、デジタル方式に好ましいものであるが、アナログ方式を用いたＦＰＵ受信装置に適用することも可能である。
【産業上の利用可能性】
【００３９】
本発明は、高周波部とが同軸ケーブルによって接続された２筐体分離型のデジタルＦＰＵ受信装置に好適に利用することができる。
【図面の簡単な説明】
【００４０】
【図１】本発明の一実施形態に係る２筐体分離型ＦＰＵ受信装置の主な構成を示したブロック図である。
【図２】本発明の一実施形態に係る２筐体分離型ＦＰＵ受信装置における動作手順を示したシーケンス図である。
【図３】従来の２筐体分離型ＦＰＵ受信装置の主な構成を示したブロック図である。
【符号の説明】
【００４１】
１  高周波部
２  制御部
３  同軸ケーブル
４  受信アンテナ
ｆ１  ＩＦ信号
ｆ２  送り返し信号
【図１】
0004665685.tif 000002
【図２】
0004665685.tif 000003
【図３】
0004665685.tif 000004